(57)【要約】【課題】画像の視認性と、この画像の奥側に配置される物品の視認性とを両立できるようにした画像表示装置及び収納庫を提供する。【解決手段】正面２ａと背面２ｂとの間に配置された液晶部１７と、正面２ａと背面２ｂとの間に配置され、エッジライト４０から入光する光をバックライトとして液晶部１７に照射する導光板３０とを有し、正面２ａと背面２ｂとの間を光が透過可能な透過性液晶ディスプレイ１０を備える。導光板３０には複数のレーザードット３５が一定の間隔で形成されている。ここで、一定の間隔は、透過性液晶表示ディスプレイ１０の複数の画素の間隔の１．５倍以上、２．０倍未満の大きさである。【選択図】図４
2016173419.tif 000002
【特許請求の範囲】
【請求項１】
第１の面と該第１の面の反対側に位置する第２の面との間に配置された液晶部と、前記第１の面と前記第２の面との間に配置され、入光する光をバックライトとして前記液晶部に照射する導光板とを有し、前記第１の面と前記第２の面との間を光が透過可能な透過性液晶表示ディスプレイを備え、
前記導光板には、凹部又は凸部の少なくとも一方を含む複数の凹凸部が一定の間隔で形成されており、
前記一定の間隔は、前記透過性液晶表示ディスプレイの複数の画素の間隔の１．５倍以上、２．０倍未満の大きさであることを特徴とする画像表示装置。
【請求項２】
前記導光板は、光が入光する第１の端部と、前記第１の端部と平面視で向かい合う第２の端部を有し、
前記複数の凹凸部の各々の平面視による大きさは、前記第１の端部における大きさよりも前記第２の端部における大きさの方が大きいことを特徴とする請求項１に記載の画像表示装置。
【請求項３】
前記複数の凹凸部の各々の平面視による大きさは、前記第１の端部において最小であることを特徴とする請求項２に記載の画像表示装置。
【請求項４】
前記複数の凹凸部の各々の平面視による大きさは、前記各々の形成位置が前記第１の端部から前記第２の端部に近づくにつれて大きくなり、前記第１の端部と前記第２の端部との間の中間よりも該第２の端部寄りの位置で最大となり、前記位置から前記第２の端部に近づくにつれて小さくなることを特徴とする請求項３に記載の画像表示装置。
【請求項５】
前記複数の凹凸部の各々は、前記導光板にレーザー光を照射することにより形成されたレーザードットであることを特徴とする請求項１から請求項４の何れか一項に記載の画像表示装置。
【請求項６】
請求項１から請求項５の何れか一項に記載の画像表示装置と、
扉を有する筐体とを備え、
前記画像表示装置が前記扉の少なくとも一部を兼ねることを特徴とする収納庫。
【発明の詳細な説明】
【技術分野】
【０００１】
本発明は、画像表示装置に関する。
【背景技術】
【０００２】
この種の従来技術として、例えば特許文献１に開示されたものがある。特許文献１には、「透明な外側保護パネルと、透明な内側保護パネルと、外側保護パネルと内側保護パネルとの間に配置された半透明のデジタル映像表示装置と、半透明のデジタル映像表示装置に固定されたガラスパネルを含む光ガイドと、を備えたデジタル表示システム」が記載されている。
【０００３】
このデジタル表示システムでは、冷蔵庫の扉部分に半透明のデジタル映像表示装置がある。このデジタル表示システムには、光ガイドへの光の導入の有無により、庫内の商品のみが認識できたり、庫内の商品の前面にデジタル画像を表示したりすることができ、商品の販売促進効果が高いという特徴がある。
【先行技術文献】
【特許文献】
【０００４】
【特許文献１】特表２０１４−５０９５２８号公報
【発明の概要】
【発明が解決しようとする課題】
【０００５】
ところで、特許文献１に開示されたデジタル表示システムでは、その段落００２９に記載されているように、光ガイドを透過する光の一部をガラスパネル（ガラス板）の両面から外に反射させるために、ガラス板に微粒子を混入させている。しかしながら、ガラス板に微粒子を混入させると、デジタル映像表示装置全体が半透明となり、冷蔵庫内の商品の視認性が低下するという課題がある。
そこで、本発明はこのような事情に鑑みてなされたものであって、画像の視認性と、ユーザから見て画像よりも奥側に位置する物品の視認性とを両立できるようにした画像表示装置及び収納庫を提供することを目的とする。
【課題を解決するための手段】
【０００６】
上記課題を解決するため、本発明の一態様に係る画像表示装置は、第１の面と該第１の面の反対側に位置する第２の面との間に配置された液晶部と、前記第１の面と前記第２の面との間に配置され、入光する光をバックライトとして前記液晶部に照射する導光板とを有し、前記第１の面と前記第２の面との間を光が透過可能な透過性液晶表示ディスプレイを備え、前記導光板には、凹部又は凸部の少なくとも一方を含む複数の凹凸部が一定の間隔で形成されており、前記一定の間隔は、前記透過性液晶表示ディスプレイの複数の画素の間隔の１．５倍以上、２．０倍未満の大きさであることを特徴とする。
【発明の効果】
【０００７】
本発明の一態様によれば、画像の視認性と、この画像の奥側に配置される物品の視認性とを両立することができる。
【図面の簡単な説明】
【０００８】
【図１】第１実施形態に係る冷蔵庫１００の構成例を示す斜視図である。
【図２】透過性液晶ディスプレイ１０の構成例を示す模式図である。
【図３】導光板３０とエッジライト４０とを模式的に示す平面図である。
【図４】導光板３０におけるレーザードット３５の配置例を示す模式図である。
【図５】レーザードット３５の形成位置と、レーザードット３５の大きさとの関係を示す図である。
【図６】透過性液晶ディスプレイ１０における画素５０の配置例を示す模式図である。
【図７】透過性液晶ディスプレイ１０の表示動作の一例を示す模式図である。
【図８】本発明者が行った実験の結果を示す写真図である。
【図９】第２実施形態に係る導光板１３０とエッジライト１４０とを模式的に示す平面図である。
【図１０】エッジライト１４０の構成例を示すブロック図である。
【図１１】透過性液晶ディスプレイ１１０の表示動作の一例を示す模式図である。
【図１２】第３実施形態に係る導光板２３０の構成例を示す模式図である。
【図１３】透過性液晶ディスプレイ２１０の表示動作の一例を示す模式図である。
【発明を実施するための形態】
【０００９】
以下、図面を用いて本発明の実施形態を説明する。なお、以下に説明する各図において、同一の構成を有する部分には同一の符号を付し、その繰り返しの説明は省略する。
＜第１実施形態＞
［構成］
（１）冷蔵庫
図１は、本発明の第１実施形態に係る冷蔵庫１００の構成例を示す斜視図である。
図１に示す冷蔵庫１００は、例えば、任意の商品（例えば、飲料や食料など）を予め設定した温度で冷却しながら保存し、かつ展示するための収納庫である。この冷蔵庫１００は、扉３を有する筺体１と、この扉３の少なくとも一部を兼ねる透過性液晶ディスプレイ１０とを備える。
【００１０】
図１に示すように、筺体１の外観は、例えば６面を有する箱型である。筺体１の内部には空間が設けられており、この内部の空間（すなわち、冷蔵庫内）を上下方向で仕切るように棚板（図示せず）が取り付けられている。この棚板によって、冷蔵庫内に商品を陳列するための複数段のスペースが確保されている。また、筺体１には、冷蔵庫内を照らすための照明灯（図示せず）が取り付けられている。
【００１１】
また、扉３は、この筺体１の前面側に設けられている。例えば、扉３を正面から見て、扉３の左右方向の一方の端部には扉３を筺体１に開閉自在に保持するための蝶番（図示せず）が取り付けられている。また、扉３の左右方向の他方の端部には、ユーザが把持するための取手部３ａが設けられている。取手部３ａは、扉３の表面から突出していてもよいし、窪んでいてよい。ユーザは、この取手部３ａを把持して扉３を開閉することによって、冷蔵庫内に商品を出し入れすることが可能となっている。
【００１２】
また、この冷蔵庫１００では、この扉３の取手部３ａと蝶番との間に、透過性液晶ディスプレイ１０が嵌め込まれている。透過性液晶ディスプレイ１０の正面と背面との間は光が透過可能であり、透過性液晶ディスプレイ１０を通して、冷蔵庫内に陳列された商品を視認できるようになっている。なお、筺体１の前面以外の各面（例えば、左側面と、右側面と、背面と、天面及び底面）は、例えば、遮光性を有する部材でそれぞれ構成されている。
【００１３】
（２）透過性液晶ディスプレイ
（２．１）積層構造
図２は、透過性液晶ディスプレイ１０の構成例を示す模式図である。図２に示すように、この透過性液晶ディスプレイ１０は、例えば、第１のガラス基板１１と、導光板３０と、ＴＦＴ（Ｔｈｉｎ  Ｆｉｌｍ  Ｔｒａｎｓｉｓｔｏｒ）アレイと、液晶部（液晶層）１７と、共通電極１９と、カラーフィルタ２１と、第２のガラス基板２３と、導光板３０の端部（すなわち、側辺）に隣り合って配設されたエッジライト４０と、を備える。エッジライト４０は、例えば一方向に細長いフォトダイオード又は蛍光灯であり、導光板３０の端部に平行に配設されている。導光板３０は、エッジライト４０から端部に入光した光をバックライトとして、液晶部１７の全体に照射するものであり、例えばガラス基板からなる。
【００１４】
この透過性液晶ディスプレイ１０では、その背面（図２では、下面）２ｂから正面（図２では、上面）２ａに向かって、第１のガラス基板１１と、導光板３０と、ＴＦＴアレイ１５と、液晶部１７と、共通電極１９と、カラーフィルタ２１と、第２のガラス基板２３とがこの順で積層されている。そして、透過性液晶ディスプレイ１０では、その正面２ａと背面２ｂとの間を、可視光を含む光が透過可能となっている。
【００１５】
また、この透過性液晶ディスプレイ１０は、上記以外の構成部を備えていてもよい。例えば、この透過性液晶ディスプレイ１０は、導光板３０とＴＦＴアレイ１５との間に偏光板やガラス基板を備えていてもよく、第２のガラス基板２３上に偏光板を備えていてもよい。偏光板は、特定方向に偏光、又は偏波した光だけを通過させる板である。また、この透過性液晶ディスプレイ１０は、ＴＦＴアレイ１５と液晶部１７との間や、液晶部１７と共通電極１９との間に配向膜を備えていてもよい。配向膜は、液晶分子を均一に廃鉱させるための高分子膜である。この場合も、正面２ａと背面２ｂとの間を、可視光を含む光が透過可能となっている。
【００１６】
また、この透過性液晶ディスプレイ１０には拡散板がない。ここで、拡散板とは、導光板から照射される光を拡散させ、ムラをなくす目的で配置されるスリガラス板である。この透過性液晶ディスプレイ１０では、拡散板を設けないことにより、正面２ａと背面２ｂとの間を通る光が拡散することを防いでいる。
なお、図２では、第１のガラス基板１１と、導光板３０と、ＴＦＴアレイ１５と、液晶部１７と、共通電極１９と、カラーフィルタ２１と、第２のガラス基板２３との間にそれぞれ隙間を設けて記載しているが、これは、各構成部の積層順を明確にするためにあえて記載した隙間である。実際の透過性液晶ディスプレイ１０では、これらの隙間は存在せず、隣り合う構成部が互いに密接していることが好ましい。
【００１７】
（２．２）導光板とエッジライト
図３は、導光板３０とエッジライト４０とを模式的に示す平面図である。図３に示すように、導光板３０の平面視による形状は例えば矩形であり、第１の端部３０ａと、第１の端部３０ａと平面視で向かい合う第２の端部３０ｂとを有する。また、エッジライト４０は、この第１の端部３０ａに沿って配置されている。このような配置により、エッジライト４０から発した光は、導光板３０の第１の端部３０ａに入光し、第１の端部３０ａから第２の端部３０ｂに向けて伝播するようになっている。また、導光板３０は、複数のレーザードットが形成されたレーザードット領域３１と、レーザードットが形成されていない非レーザードット領域３２とを有する。ここで、レーザードットとは、導光板３０の表面（すなわち、液晶部と向かい合う面）にレーザー光を照射することにより形成された凹部のことである。レーザードットは、導光板に入光した光を反射する目的で形成されている。
【００１８】
導光板３０の第１の端部３０ａに入光した光のうち、レーザードット領域３１を通る光は、レーザードットに反射して導光板３０から出射する。そして、この出射した光は、バックライトとして、液晶部１７のうちのレーザードット領域３１と向かい合う部分に照射される。このため、レーザードット領域３１は、液晶部１７にバックライトを照射するバックライト照射部として機能する。
【００１９】
一方、導光板３０の第１の端部３０ａに入光した光のうち、非レーザードット領域３２を通る光は、レーザードットに反射することはない（厳密には、若干の光が出射するが、バックライトとして用いるには強度が十分に弱く、無視できる程度である）。非レーザードット領域３２を通る光は、ほとんど減衰することなく第２の端部３０ｂまで伝播する。そして、第２の端部３０ｂまで伝搬した光の一部は、第２の端部３０ｂから導光板３０の外部に出射し、他の一部は第２の端部３０ｂで反射して導光板３０中をさらに伝搬する。このように、非レーザードット領域３２は、導光板３０の外部へ光を照射しない。このため、非レーザードット領域３２は、液晶部１７へのバックライトの照射を遮断するバックライト遮断部として機能する。
【００２０】
（２．３）レーザードットの配置間隔
図４は、導光板３０におけるレーザードット３５の配置例を示す模式図である。図４に示すように、レーザードット領域３１において、各レーザードット３５は、平面視で、縦方向に一定の間隔ｙで並び、かつ横方向に一定の間隔ｘで並んでおり、複数の行Ａ１、Ａ２、…、Ａ６、Ａ７、…と、複数の列Ｂ１、Ｂ２、…、Ｂ６、Ｂ７、…と、を形成している。また、図４に示すように、この例では、複数の行のうちの偶数行（Ａｎ；ｎは２以上の偶数）は、奇数行（Ａｎ−１）に対して、横方向に半ピッチ（すなわち、ｘ／２）ずれて配置されている。複数の列のうちの偶数列（Ｂｎ；ｎは２以上の偶数）は、奇数列（Ｂｎ−１）に対して、縦方向に半ピッチ（すなわち、ｙ／２）ずれて配置されている。
【００２１】
（２．４）レーザードットの大きさ
図５は、レーザードット３５の形成位置と、レーザードット３５の大きさとの関係を示す図である。図５の横軸は第１の端部３０ａからの横方向への距離を示す。横軸の数字「０」は第１の端部３０ａの位置を示し、横軸の数字「１」は第２の端部３０ｂの位置を示し、横軸の数字「０．５」は第１の端部３０ａと第２の端部３０ｂとの中間（真ん中）の位置を示している。また、図５の縦軸はレーザードット３５の大きさを示す。縦軸の各数字は、第１の端部３０ａにおけるレーザードット３５の大きさを「１」としたときの、各位置におけるレーザードット３５の大きさの割合を示している。
【００２２】
図５に示すように、レーザードット領域３１において、レーザードット３５の大きさ（すなわち、直径）は、第１の端部３０ａにおいて最小となっている。また、レーザードット３５の大きさは、その形成位置が第１の端部３０ａから第２の端部３０ｂに近づくにつれて徐々に大きくなり、第１の端部３０ａと第２の端部３０ｂとの中間よりも第２の端部３０ｂ寄りの位置Ａで最大となっている。ここで、位置Ａは、例えば、第１の端部３０ａから第２の端部３０ｂまでの距離を１としたとき、第１の端部３０ａから０．８５の距離である。
また、レーザードット３５の大きさは、その形成位置が位置Ａから第２の端部３０ｂに近づくにつれて徐々に小さくなっている。そして、第２の端部３０ｂにおけるレーザードット３５の大きさは、第１の端部３０ａにおけるレーザードット３５の大きさの約２倍となっている。
【００２３】
（２．５）レーザードットの配置間隔と解像度との関係
この第１実施形態、及び、後述の第２、第３実施形態では、レーザードット領域３１におけるレーザードット３５の間隔（すなわち、隣り合うドットの中心間の距離）と、透過性液晶ディスプレイ１０の解像度との間に相関を設けている。換言すると、レーザードット３５の間隔と、画素の間隔（すなわち、隣り合う画素の中心間の距離）との間に相関を設けている。
【００２４】
図６は、透過性液晶ディスプレイ１０における画素５０の配置例を示す模式図である。図６に示すように、この透過性液晶ディスプレイ１０では、例えば、Ｒ：赤、Ｇ：緑、Ｂ：青の３原色で１画素を構成している。また、各画素の平面視による形状は正方形であり、隣り合う画素同士が隙間なく隣接して配置されている。これにより、各画素の間隔は、各画素の一辺の長さｚと同じ値となっている。
【００２５】
ここで、レーザードット３５の間隔は、画素５０の間隔の１．５倍以上、２．０倍未満の大きさとなっている。縦方向及び横方向で説明すると、レーザードット３５の縦方向の間隔ｘは、画素５０の縦方向の間隔ｚの１．５倍以上、２．０倍未満の大きさとなっている。同様に、レーザードット３５の横方向の間隔ｙは、画素の横方向の間隔ｚの１．５倍以上、２．０倍未満の大きさとなっている。
【００２６】
この間隔について数値を例示する。透過性液晶ディスプレイ１０が４２型ＦＨＤ（フルハイビジョン）であり、その画素（ピクセル）数が縦×横＝１９２０×１０８０個の場合、ＲＧＢの３原色を含む１つ画素５０の大きさは、縦×横＝０．４８３３ｍｍ×０．４８３３ｍｍである。ここで、レーザードット３５の縦方向の間隔ｘは平均で０．８５ｍｍ、横方向の間隔ｙも平均で０．８５ｍｍであり、画素５０の間隔の１．７６倍となっている。
【００２７】
［表示動作］
次に、第１実施形態に係る透過性液晶ディスプレイ１０の表示動作について説明する。図７（ａ）〜（ｃ）は、透過性液晶ディスプレイ１０の表示動作の一例を示す模式図である。詳しくは、図７（ａ）は、透過性液晶ディスプレイ１０の導光板３０に光が入光しておらず（すなわち、バックライトがオフで）、かつ画像９を表示していない状態を示す図である。図７（ｂ）は、透過性液晶ディスプレイ１０の導光板３０に光が入光しており（すなわち、バックライトがオンで）、かつ画像を表示していない状態を示す図である。図７（ｃ）は、バックライトがオンで、かつ画像９を表示している状態を示す図である。
【００２８】
（１）バックライトオフ時
図７（ａ）ではバックライトがオフになっているため、ユーザは、レーザードット領域３１と、非レーザードット領域３２の何れにおいても、透過性液晶ディスプレイ１０を通して、冷蔵庫内の商品７（例えば、ビール）を視認性高く目視することができる。また、図７（ａ）の状態で画像を表示しても、バックライトがオフのときは画像が目立たない。このため、画像を表示したときも、画像を表示しないときと同様に、ユーザは、透過性液晶ディスプレイ１０を通して、冷蔵庫内の商品７を視認性高く目視することができる。なお、画像９としては、商品７の大小のロゴや、商品７の名称、愛称などが挙げられる。画像９は、静止画でもよいし、動画でよい。
【００２９】
（２）バックライトオン時
図７（ｂ）では、レーザードット領域３１はバックライトで明るく光っている。このため、図７（ａ）の状態と比べて、レーザードット領域３１では冷蔵庫内の商品７が見えにくくなる。一方、非レーザードット領域３２ではバックライトが遮断されている。このため、非レーザードット領域３２では、透過性液晶ディスプレイ１０を通して冷蔵庫内の商品７を視認性高く目視することができる。このように、図７（ｂ）の状態では、レーザードット領域３１では冷蔵庫１００の商品７が見えにくくなる。これに対して、非レーザードット領域３２では、図７（ａ）のときと同様に冷蔵庫内の商品７を視認性高く目視することができる。
【００３０】
また、図７（ｃ）では、レーザードット領域３１はバックライトで明るく光っており、かつ画像９が表示されている。このため、ユーザは、レーザードット領域３１では画像９と冷蔵庫内の商品７とを重ねて目視することができる。一方、非レーザードット領域３２ではバックライトが遮断されている。このため、非レーザードット領域３２では、透過性液晶ディスプレイ１０を通して冷蔵庫内の商品７を視認性高く目視することができる。
このように、図７（ｃ）の状態では、ユーザは、レーザードット領域３１では画像９と冷蔵庫１００の商品７とを重ねて目視することができる。また、非レーザードット領域３２では、図７（ａ）及び（ｂ）のときと同様に、冷蔵庫内の商品７を視認性高く目視することができる。
【００３１】
（３）冷蔵庫内の照明
図７（ａ）〜（ｃ）において、冷蔵庫内の照明灯はＯＮになっていてもよい。これにより、冷蔵庫内に陳列された商品７は照明灯で照らされ、商品７に反射した光は透過性液晶ディスプレイ１０を通して外部（すなわち、前面側）に出る。したがって、ユーザは、冷蔵庫内の商品７をより鮮明に目視することが可能となる。
【００３２】
［対応関係］
この第１実施形態では、正面２ａ及び背面２ｂのうち、一方が本発明の「第１の面」に対応し、他方が本発明の「第２の面」に対応している。また、レーザードット３５が本発明の「凹凸部」に対応している。また、第１の端部３０ａが本発明の「第１の端部」に対応し、第２の端部３０ｂが本発明の「第２の端部」に対応している。また、透過性液晶ディスプレイ１０を有する扉が本発明の「画像表示装置」に対応し、冷蔵庫１００が本発明の「収納庫」に対応している。
【００３３】
［第１実施形態の効果］
本発明の第１実施形態は、以下の効果を奏する。
（１）図３に示したように、導光板３０は、レーザードット３５が形成されたレーザードット領域３１と、レーザードット３５が形成されていない非レーザードット領域３２とを有する。レーザードット領域３１ではレーザードット３５に光が反射して、液晶部１７のうちのレーザードット領域３１と向かい合う部分に、バックライトとして反射光が照射される。一方、非レーザードット領域３２にはレーザードット３５が形成されていないので、反射光を生じない。このため、非レーザードット領域３２は、液晶部１７の一部（すなわち、非レーザードット領域３２と向かい合う部分）に対して、バックライトの照射を遮断するバックライト遮断部として機能する。
【００３４】
これにより、ユーザは、レーザードット領域３１では画像９と商品７とを重ねて目視することができるとともに、非レーザードット領域３２ではバックライトが遮断されるため、商品７を視認性高く目視することができる。したがって、レーザードット領域３１に映し出される画像９の視認性と、この画像９の奥側に位置する商品７の視認性とを両立させることができる。
【００３５】
（２）また、図４に示したように、レーザードット領域３１において、レーザードット３５の間隔は一定であり（すなわち、レーザードット３５は均一に分布しており）、レーザードット３５間に存在するレーザードット３５が無い領域も均一に分布している。これにより、このレーザードット３５が無い領域を通って、冷蔵庫内に入ったり出たりする外光や照明光について、表示面内での強度の分布に偏り（発光過多や、発光減）が生じることを防ぐことができる。したがって、画像９の奥側に位置する商品７の視認性をさらに高めることができる。
【００３６】
（３）また、レーザードット領域３１において、レーザードット３５の間隔は、画素５０の間隔の１．５倍以上、２．０倍未満、より好ましくは、１．７倍以上、１．８倍未満の大きさとなっている。
これにより、モワレ（干渉縞）の発生を低減することができる。なお、モワレを低減できるメカニズムは不明であるが、本発明者は実験を行ってモワレ低減の効果を確認している。
【００３７】
図８（ａ）〜（ｄ）は、本発明者が行った実験の結果を示す写真図である。図８（ａ）はレーザードット３５の間隔を画素５０の間隔の１．７６倍としたときの表示面を示す写真図である。図８（ｂ）はレーザードット３５の間隔を画素５０の間隔の１．５倍（間隔：小）としたときの表示面を示す写真図である。図８（ｃ）はレーザードット３５の間隔を画素５０の間隔の１．３倍（間隔：極小）としたときの表示面を示す写真図である。図８（ｄ）はレーザードット３５の間隔を画素５０の間隔の２．０倍（間隔：大）としたときの表示面を示す写真図である。図８（ａ）〜（ｄ）の写真図を見てわかるように、図８（ａ）ではモワレは発生していないのに対し、図８（ｂ）〜（ｄ）ではモワレが発生している。しかしながら、レーザードット３５の間隔を画素５０の間隔の１．５倍（間隔：小）としたとき、２．０倍（間隔：大）としたとき発生するモワレは小さいものであるので、表示する画像によっては、モワレが気にならない。
【００３８】
（４）また、図５に示したように、レーザードット領域３１において、各レーザードット３５の大きさは、その形成位置が第１の端部３０ａから第２の端部３０ｂに近づくにつれて徐々に大きくなり、第１の端部３０ａと第２の端部３０ｂとの中間よりも第２の端部寄りの位置Ａで最大となり、位置Ａから第２の端部３０ｂに近づくにつれて徐々に小さくなっている。第１の端部３０ｂから入光した光の距離に依存した減衰だけでなく、第２の端部３０ｂでの光の反射を考慮して、第２の端部３０ｂではなく、位置Ａでレーザードット３５の大きさを最大している。これにより、レーザードット領域３１から照射される反射光の強度を、レーザードット領域３１の面内で均一に近づけることができる。
【００３９】
［変形例］
（１）上記の第１実施形態では、レーザードット３５が凹部からなる場合について説明した。しかしながら、レーザードット３５は凹部ではなく凸部でもよい。このような場合でも、上記の第１実施形態の効果（１）〜（４）と同様の効果を奏する。
（２）また、本発明の凹凸部は、レーザーで形成されていなくてもよい。すなわち、凹凸部はレーザードット３５に限定されず、他の形成方法で形成されていてもよい。他の形成方法として、例えば、平滑な導光板（素材）に、凹凸の形成された型を押し付け、凹凸を形成する方法がある。また、他の形成方法として、例えば、平滑な導光板（素材）に、凹部となる形状を開口したサンドブラスト用レジストパターンを設け、サンドブラスト法により、凹凸を形成する方法もある。また、この凹凸部は、凹部と凸部とが混在していてもよい。このような場合であっても、上記の第１実施形態の効果（１）〜（４）と同様の効果を奏する。
【００４０】
（３）また、上記の第１実施形態では、本発明の第２の領域として、非レーザードット領域３２を例示した。また、非レーザードット領域３２には、レーザードット３５が形成されていないことについて説明した。しかしながら、本発明において、非レーザードット領域３２には、レーザードット３５が１個も形成されていない場合に限定されるものではない。すなわち、非レーザードット領域３２には、レーザードット領域３１よりも少ない数のレーザードット３５が存在してもよい。このような場合であっても、非レーザードット領域３２におけるレーザードット３５の個数が十分に少なく、その反射光が十分に小さい場合には、上記の第１実施形態の効果（１）〜（４）と同様の効果を奏する。
【００４１】
＜第２実施形態＞
上述の第１実施形態では、導光板３０の非レーザードット領域３２が、液晶部１７へのバックライトの照射を遮断するバックライト遮断部として機能する場合について説明した。しかしながら、本発明において、バックライト遮断部は非レーザードット領域３２に限定されるものではない。例えば、エッジライトの部分的に消灯した部分が、バックライト遮断部として機能してもよい。第２実施形態では、このような態様について説明する。
【００４２】
［構成］
図９は、第２実施形態に係る導光板１３０とエッジライト１４０とを模式的に示す平面図である。図９に示すように、導光板１３０の平面視による形状は例えば矩形であり、第１の端部１３０ａと、第１の端部１３０ａと平面視で向かい合う第２の端部１３０ｂとを有する。この導光板１３０には、複数のレーザードットが全体的に形成されており、平面視で全ての領域がレーザードット領域となっている。また、エッジライト１４０は、第１の端部１３０ａに隣り合って配置された第１〜第４のエッジライト１４１〜１４４を有する。第１〜第４のエッジライト１４１〜１４４の各々は、互いに独立して発光し、消灯することが可能となっている。第１〜第４のエッジライト１４１〜１４４が発した光は、第１の端部１３０ａのうちの、第１〜第４のエッジライト１４１〜１４４と向かい合う部分にそれぞれ入光し、第２の端部１３０ｂに向けて伝播するようになっている。
【００４３】
以下、導光板１３０のうち、第１のエッジライト１４１からの光が入光する領域を第１の導光領域１３１といい、第２のエッジライト１４２からの光が入光する領域を第２の導光領域１３２といい、第３のエッジライト１４３からの光が入光する領域を第３の導光領域１３３といい、第４のエッジライト１４４からの光が入光する領域を第４の導光領域１３４という。
【００４４】
図１０は、エッジライト１４０の構成例を示すブロック図である。図１０に示すように、エッジライト１４０は、電源選択部１５０と、この電源選択部１５０に接続された第１〜第４の駆動部１５１〜１５４と、第１〜第４の駆動部１５１〜１５４に接続された第１〜第４のエッジライト１４１〜１４４とを有する。
電源選択部１５０は、第１〜第４の駆動部１５１〜１５４のうちから任意の駆動部を選択する機能を有する。例えば、電源選択部１５０は、透過性液晶ディスプレイ１０の画像生成部（図示せず）に接続されている。画像生成部は、第１〜第４の導光領域１３１〜１３４のうちから画像を表示する領域を選択し、その選択した領域についての情報を電源選択部１５０に送信する。電源選択部１５０は、この画像生成部から送信されてくる情報を受信し、受信した信号に基づいて第１〜第４の駆動部１５１〜１５４のうちから任意の駆動部を選択し、選択した駆動部に制御信号を送信する。
【００４５】
第１〜第４の駆動部１５１〜１５４は、電源選択部１５０からの制御信号に基づいて、第１〜第４のエッジライト１４４を駆動する機能を有する。例えば、第１〜第４の駆動部１５１〜１５４のうち、電源選択部１５０により選択された駆動部のみが、この駆動部に接続されたエッジライト１４０に電源を供給する。これにより、第１〜第４のエッジライト１４４は互いに独立して発光、消灯することが可能となっている。
【００４６】
第１の駆動部１５１が第１のエッジライト１４１に電源を供給すると、第１のエッジライト１４１が発光する。すると、第１のエッジライト１４１からの光が第１の導光領域１３１に入光し、第１の導光領域１３１に形成されたレーザードットに反射する。すると、この反射光がバックライトとして、液晶部のうちの第１の導光領域１３１と向かい合う部分に照射される。
【００４７】
同様に、第２の駆動部１５２が第２のエッジライト１４２に電源を供給すると、第２のエッジライト１４２が発光する。すると、第２のエッジライト１４２からの光が第２の導光領域１３２に入光し、第２の導光領域１３２に形成されたレーザードットに反射する。すると、この反射光がバックライトとして、液晶部のうちの第２の導光領域１３２と向かい合う部分に照射される。第３の駆動部１５３と第３のエッジライト１４３、第４の駆動部１５４と第４のエッジライト１４４も同様の方法で、液晶部にバックライトを照射することが可能となっている。
【００４８】
［表示動作］
次に、第２実施形態に係る透過性液晶ディスプレイ１１０の表示動作について説明する。図１１（ａ）〜（ｃ）は、透過性液晶ディスプレイ１１０の表示動作の一例を示す模式図である。詳しくは、図１１（ａ）は、第１〜第４の導光領域１３１〜１３４に光が入光しておらず（すなわち、バックライトが全てオフで）、かつ画像を表示していない状態を示している。図１１（ｂ）は、第１〜第４の導光領域１３１〜１３４にそれぞれ光が入光しており（すなわち、バックライトが全てオンで）、かつ、第１〜第４の導光領域１３１〜１３４に画像９を表示している状態を示している。図１１（ｃ）は、第２、第４の導光領域１３２、１３４のみに光が入光しており（すなわち、バックライトが部分的にオンで）、かつ、第２、第４の導光領域１３２、１３４に画像９を表示している状態を示している。
【００４９】
図１１（ａ）ではバックライトが全てオフになっているため、ユーザは、第１〜第４の導光領域１３１〜１３４の全てにおいて、透過性液晶ディスプレイ１１０を通して、冷蔵庫内の商品７を視認性高く目視することができる。図１１（ｂ）では、第１〜第４の導光領域１３１〜１３４はバックライトで明るく光っており、かつ画像９が表示されている。このため、ユーザは、第１〜第４の導光領域１３１〜１３４で、画像９と冷蔵庫内の商品７とを重ねて目視することができる。
【００５０】
図１１（ｃ）では、第２、第４の導光領域１３２、１３４はバックライトで明るく光っており、かつ画像９が表示されている。このため、ユーザは、第２、第４の導光領域１３２、１３４で画像９と冷蔵庫内の商品７とを重ねて目視することができる。また、第１、第３の導光領域１３１、１３３ではバックライトが遮断されている。このため、第１、第３の導光領域１３１、１３３では、透過性液晶ディスプレイ１１０を通して、冷蔵庫内の商品７を視認性高く目視することができる。特に、第１、第３の導光領域１３１、１３３で画像の表示が無い場合は、冷蔵庫内の商品７をより鮮明に目視することができる。
【００５１】
なお、図１１（ａ）〜（ｃ）において、冷蔵庫内の照明灯はＯＮになっていてもよい。これにより、冷蔵庫内に陳列された商品７は照明灯で照らされ、商品７に反射した光は透過性液晶ディスプレイ１０を通して外部（すなわち、前面側）に出る。したがって、ユーザは、冷蔵庫内の商品７をより鮮明に目視することが可能となる。
また、特に第２実施形態及び後述の第３実施形態では、冷蔵庫内の棚板の配置が、第１〜第４の導光領域に対応していることが好ましい。これにより、例えば図１１（ｂ）及び（ｃ）に示すように、各棚に配置された商品７と、第１〜第４の導光領域に表示される画像（例えば、Ｂｅｅｒ等の文字）とを整合性よく重ね合わせることができるので、各棚に配置された商品７の販売促進効果をさらに向上させる効果を期待できる。
【００５２】
［対応関係］
この第２実施形態では、第１の端部１３０ａが本発明の「第１の端部」に対応し、第２の端部１３０ｂが本発明の「第２の端部」に対応している。また、透過性液晶ディスプレイ１１０を有する扉が本発明の「画像表示装置」に対応している。その他の対応関係は、第１実施形態と同様である。
【００５３】
［第２実施形態の効果］
本発明の第２実施形態は、第１実施形態の効果（２）〜（４）と同様の効果を奏する。
また、第１〜第４のエッジライト１４１〜１４４はそれぞれが独立して発光、消灯することが可能である。これにより、第１〜第４のエッジライト１４１〜１４４の何れもが、
他の発光しているエッジライトに対して消灯することによって、バックライトの照射を遮断するバックライト遮断部として機能する。
【００５４】
すなわち、第１のエッジライト１４１は第１の導光領域１３１に対するバックライト遮断部として機能する。第２のエッジライト１４２は第２の導光領域１３２に対するバックライト遮断部として機能する。第３のエッジライト１４３は第３の導光領域１３３に対するバックライト遮断部として機能する。第４のエッジライト１４４は第４の導光領域１３４に対するバックライト遮断部として機能する。
【００５５】
これにより、ユーザは、第１〜第４の導光領域１４１〜１４４のうち、バックライトが点灯している領域では画像９と商品７とを重ねて目視することができ、バックライトが遮断されている領域では商品７を視認性高く目視することができる。したがって、画像９の視認性と、この画像９の奥側に位置する商品７の視認性とを両立させることができる。
［変形例］
第２実施形態においても、第１実施形態で説明した変形例（１）（２）を適用してよい。この場合も、第１実施形態の変形例（１）（２）と同様の効果を奏する。
【００５６】
＜第３実施形態＞
本発明では、上述の第１実施形態と第２実施形態とを組み合わせてもよい。第３実施形態では、このような態様について説明する。
［構成］
図１２は、本発明の第３実施形態に係る導光板２３０の構成例を示す模式図である。図１２に示すように、この導光板２３０は、第１のエッジライト１４１からの光が入光する第１の導光領域２３１と、第２のエッジライト１４２からの光が入光する第２の導光領域２３２と、第３のエッジライト１４３からの光が入光する第３の導光領域２３３と、第４のエッジライト１４４からの光が入光する第４の導光領域２３４とを有する。また、これら第１〜第４の導光領域２３１〜２３４のそれぞれが、レーザードット領域３１と、非レーザードット領域３２とを有する。例えば、第１〜第４の導光領域２３１〜２３４の各々で、第１の端部２３０ａ側がレーザードット領域３１となっており、第２の端部２３０ｂ側が非レーザードット領域３２となっている。
【００５７】
［表示動作］
次に、第３実施形態に係る透過性液晶ディスプレイ２１０の表示動作について説明する。図１３（ａ）〜（ｃ）は、透過性液晶ディスプレイ２１０の表示動作の一例を示す模式図である。詳しくは、図１３（ａ）は、第１〜第４の導光領域２３１〜２３４に光が入光しておらず（すなわち、バックライトが全てオフで）、かつ画像を表示していない状態を示している。図１１（ｂ）は、第１〜第４の導光領域２３１〜２３４にそれぞれ光が入光しており（すなわち、バックライトが全てオンで）、かつ、第１〜第４の導光領域２３１〜２３４の各レーザードット領域３１に画像９を表示している状態を示している。図１１（ｃ）は、第２、第４の導光領域２３２、２３４のみに光が入光しており（すなわち、バックライトが部分的にオンで）、かつ、第２、第４の導光領域２３２、２３４の各レーザードット領域３１に画像９を表示している状態を示している。
【００５８】
図１３（ａ）ではバックライトがオフになっているため、ユーザは、第１〜第４の導光領域２３１〜２３４の全てにおいて、透過性液晶ディスプレイ２１０を通して、冷蔵庫内の商品７を視認性高く目視することができる。
図１３（ｂ）では、第１〜第４の導光領域２３１〜２３４のレーザードット領域３１はバックライトで明るく光っており、かつ画像９が表示されている。このため、ユーザは、これらの各レーザードット領域３１で、画像９と冷蔵庫内の商品７とを重ねて目視することができる。また、第１〜第４の領域２３１〜２３４の非レーザードット領域３２ではバックライトがオフになっている。このため、ユーザは、これらの非レーザードット領域３２では、透過性液晶ディスプレイ２１０を通して、冷蔵庫内の商品７を視認性高く目視することができる。
【００５９】
図１３（ｃ）では、第２、第３の導光領域２３２、２３３のレーザードット領域３１はバックライトで明るく光っており、かつ画像９が表示されている。このため、ユーザは、これらのレーザードット領域３１で画像９と冷蔵庫内の商品７とを重ねて目視することができる。一方、第２、第３の導光領域２３２、２３３の非レーザードット領域３２と、第１、第４の導光領域２３１、２３４ではバックライトが遮断されている。このため、ユーザは、これらバックライトが遮断されている領域では、透過性液晶ディスプレイ２１０を通して、冷蔵庫内の商品７を視認性高く目視することができる。特に、これらバックライトが遮断されている領域で画像の表示が無い場合は、冷蔵庫内の商品７をより鮮明に目視することができる。
なお、図１３（ａ）〜（ｃ）において、冷蔵庫内の照明灯はＯＮになっていてもよい。これにより、冷蔵庫内に陳列された商品７は照明灯で照らされ、商品７に反射した光は透過性液晶ディスプレイ１０を通して外部（すなわち、前面側）に出る。したがって、ユーザは、冷蔵庫内の商品７をより鮮明に目視することが可能となる。
【００６０】
［対応関係］
この第３実施形態では、第１の端部２３０ａが本発明の「第１の端部」に対応し、第２の端部２３０ｂが本発明の「第２の端部」に対応している。また、透過性液晶ディスプレイ２１０を有する扉が本発明の「画像表示装置」に対応している。その他の対応関係は、第１実施形態と同様である。
［第３実施形態の効果］
第３実施形態は、第１実施形態の効果（１）〜（４）及び第２実施形態の効果、と同様の効果を奏する。
【００６１】
＜その他＞
本発明は、以上に記載した各実施形態やその変形例に限定されるものではない。当業者の知識に基づいて各実施形態やその変形例に設計の変更等を加えてもよく、また、各実施形態とその変形例を任意に組み合わせてもよく、そのような変更が加えられた態様も本発明の技術的範囲に含まれる。
【産業上の利用可能性】
【００６２】
本発明の画像表示装置及び収納庫は、商品を冷蔵しながら陳列する冷蔵庫や、冷蔵庫以外の他の収納庫（例えば、常温で商品を陳列する陳列庫等）に好適に利用することができる。また、本発明の画像表示装置は、収納庫以外にも利用することができ、例えば、商品を販売する販売店や電車の扉や窓等にも利用することもできる。
【符号の説明】
【００６３】
１  筺体
２ａ  正面
２ｂ  背面
３  扉
３ａ  取手部
７  商品
９  画像
１０、１１０、２１０  透過性液晶ディスプレイ
１１  ガラス基板
１５  ＴＦＴアレイ
１７  液晶部
１９  共通電極
２１  カラーフィルタ
２３  ガラス基板
３０、１３０、２３０  導光板
３０ａ、１３０ａ、２３０ａ  第１の端部
３０ｂ、１３０ｂ、２３０ｂ  第２の端部
３１  レーザードット領域
３２  非レーザードット領域
３５  レーザードット
４０、１４０  エッジライト
５０  画素
１００  冷蔵庫
１３１、２３１  第１の導光領域
１３２、２３２  第２の導光領域
１３３、２３３  第３の導光領域
１３４、２３４  第４の導光領域
１４１  第１のエッジライト
１４２  第２のエッジライト
１４３  第３のエッジライト
１４４  第４のエッジライト
１５１  第１の駆動部
１５２  第２の駆動部
１５３  第３の駆動部
１５４  第４の駆動部
【図１】
2016173419.tif 000003
【図２】
2016173419.tif 000004
【図３】
2016173419.tif 000005
【図４】
2016173419.tif 000006
【図５】
2016173419.tif 000007
【図６】
2016173419.tif 000008
【図７】
2016173419.tif 000009
【図９】
2016173419.tif 000010
【図１０】
2016173419.tif 000011
【図１１】
2016173419.tif 000012
【図１２】
2016173419.tif 000013
【図１３】
2016173419.tif 000014
【図８】
2016173419.tif 000015